(57)【要約】【課題】  個々の蓄電池に対して容易かつ適正に補水を行えるようにする。【解決手段】  平板状で、蓄電池１００内に注水を行え、かつ、蓄電池１００内の液面を目視可能な補水孔２１が設けられた基板２と、基板２に配設され、蓄電池１００内の液面が所定の位置まで上昇したことを検知する電極４、４と、基板２に配設され、電極４、４で検知が行われると警報音を発する警報ブザー５と、基板２に配設され、電極４、４の検知位置を調整する支持体６と、を備える。【選択図】  図１
2016170943.tif 000002
【特許請求の範囲】
【請求項１】
蓄電池への補水作業を補助する蓄電池用補水補助装置であって、
平板状で、前記蓄電池内に注水を行え、かつ、前記蓄電池内の液面を目視可能な補水孔が設けられた基板と、
前記基板に配設され、前記蓄電池内の液面が所定の位置まで上昇したことを検知する検知手段と、
前記基板に配設され、前記検知手段で前記検知が行われると警報音を発する警報手段と、
前記基板に配設され、前記検知手段の検知位置を調整する位置調整手段と、
を備えることを特徴とする蓄電池用補水補助装置。
【請求項２】
前記基板に配設され、前記蓄電池内の液面を照らす照明手段を備える、
ことを特徴とする請求項１に記載の蓄電池用補水補助装置。
【請求項３】
前記基板に設けられ、前記蓄電池の上面に前記基板を載置する載置手段を備える、
ことを特徴とする請求項１または２のいずれか１項に記載の蓄電池用補水補助装置。
【発明の詳細な説明】
【技術分野】
【０００１】
この発明は、蓄電池への補水作業を補助する蓄電池用補水補助装置に関し、特に、液面が所定の位置まで上昇したことを検知して警報音を発する蓄電池用補水補助装置に関する。
【背景技術】
【０００２】
例えば、鉛蓄電池内の希硫酸は、蒸発してその液面が低下するため、定期的に、あるいは液面低下を発見した際に、鉛蓄電池内に蒸留水を注水・補給している。しかしながら、直流電源装置内に多数の鉛蓄電池がひな壇状に設置されている場合があり、このような場合、狭く薄暗いため、蒸留水を注水する際に、一方の手で懐中電灯を持って液面を照らして目視確認しながら、他方の手で鉛蓄電池内に蒸留水を注水する、という作業を行う必要があった。しかも、一度に多くの鉛蓄電池に対して補水しなければならず、多大な時間と労力とを要していた。
【０００３】
一方、組電池内の全蓄電池に対して一括して補水を行える、という蓄電池用補水装置が知られている（例えば、特許文献１参照。）。この装置は、蓄電池内の液面の高さと連動する止水弁を有する補水栓を備え、液面が所定の高さに達した際に止水弁が作動して補水を停止するものである。
【先行技術文献】
【特許文献】
【０００４】
【特許文献１】特開２００５−０５６６３２号公報
【発明の概要】
【発明が解決しようとする課題】
【０００５】
しかしながら、特許文献１の装置では、補水栓などをすべての蓄電池に配設しなければならず、多大な費用と労力、時間を要するばかりでなく、個々の蓄電池に対して個別に補水を行うことができない。しかも、蓄電池がひな壇状に設置されている場合には、補水栓などを配設することが困難で、装置の適用が困難である。
【０００６】
そこでこの発明は、個々の蓄電池に対して容易かつ適正に補水を行うことを可能にする蓄電池用補水補助装置を提供することを目的とする。
【課題を解決するための手段】
【０００７】
上記課題を解決するために、請求項１の発明は、蓄電池への補水作業を補助する蓄電池用補水補助装置であって、平板状で、前記蓄電池内に注水を行え、かつ、前記蓄電池内の液面を目視可能な補水孔が設けられた基板と、前記基板に配設され、前記蓄電池内の液面が所定の位置まで上昇したことを検知する検知手段と、前記基板に配設され、前記検知手段で前記検知が行われると警報音を発する警報手段と、前記基板に配設され、前記検知手段の検知位置を調整する位置調整手段と、を備えることを特徴とする。
【０００８】
この発明によれば、蓄電池の種類や容量などに応じて、位置調整手段によって検知手段の検知位置を調整する。そして、基板の補水孔を蓄電池の補水口に位置させて、補水孔から蓄電池内に蒸留水を注水し（補水し）、液面が所定の位置まで上昇したことが検知手段で検知されると、警報手段で警報音が発せられる。
【０００９】
請求項２の発明は、請求項１に記載の蓄電池用補水補助装置において、前記基板に配設され、前記蓄電池内の液面を照らす照明手段を備える、ことを特徴とする。
【００１０】
請求項３の発明は、請求項１または２に記載の蓄電池用補水補助装置において、前記基板に設けられ、前記蓄電池の上面に前記基板を載置する載置手段を備える、ことを特徴とする。
【発明の効果】
【００１１】
請求項１の発明によれば、個々の蓄電池に対して本蓄電池用補水補助装置を用いて蒸留水などを注水して、液面が所定の位置まで達すると、警報音が発せられるため、狭く薄暗い作業環境でも、蒸留水などを容易かつ適正に（適正量だけ）注水することができる。さらに、検知手段の検知位置、つまり、検知すべき液面の位置（所定の位置）を調整可能なため、蓄電池の種類や容量、補水目的などに応じて検知位置を調整することで、適正に補水を行うことができる。このように、個々の蓄電池に対して容易かつ適正に補水を行うことができ、しかも使い勝手がよい。
【００１２】
請求項２の発明によれば、照明手段で蓄電池内の液面が照らされるため、基板の補水孔から液面を容易かつ正確に目視確認することができる。
【００１３】
請求項３の発明によれば、載置手段によって基板つまり本蓄電池用補水補助装置を蓄電池の上面に載置することで、より容易に、かつ安定して補水作業を行うことができる。
【図面の簡単な説明】
【００１４】
【図１】この発明の実施の形態に係る蓄電池用補水補助装置を示す正面図である。
【図２】図１の蓄電池用補水補助装置の平面図である。
【図３】図１の蓄電池用補水補助装置の左側面図である。
【発明を実施するための形態】
【００１５】
以下、この発明を図示の実施の形態に基づいて説明する。
【００１６】
図１〜図３は、この発明の実施の形態に係る蓄電池用補水補助装置１の正面図と平面図と左側面図である。この蓄電池用補水補助装置１は、蓄電池１００への補水作業を補助する装置であり、主として、基板２と、ライト（照明手段）３と、電極（検知手段）４、４と、警報ブザー（警報手段）５と、支持体（位置調整手段）６と、足ネジ（載置手段）７と、を備えている。ここで、蓄電池１００は、略直方体状で、上面１０１にキャップや触媒栓が設けられ、このキャップや触媒栓を外した開口を補水口１０２とし、この補水口１０２から蒸留水や希硫酸などを注水する。以下には、蒸留水を注水する場合について、主として説明する。また、補水口１０２の周縁１０２ａは、上面１０１から突出している。
【００１７】
基板２は、平板状で、平面形状が略長方形で、長手方向の一端側に略Ｃ字状の補水孔２１が形成されている。この補水孔２１は、蓄電池１００内に注水を行え、かつ、蓄電池１００内の液面を目視可能なように形成されている。すなわち、外径が、蓄電池１００の補水口１０２と同等径に形成され、中心に向かって延びる支持部２１ａが設けられ、この支持部２１の形状は、ライト３と支持体６を配設できる程度にできるだけ小さく設定されている。そして、補水孔２１を補水口１０２に重なるように位置させた状態で、補水孔２１から蓄電池１００内に蒸留水を注水でき、かつ、補水孔２１から蓄電池１００内の液面を目視できるものである。また、基板２の大きさは、警報ブザー５や支持体６を配設できる最小限の大きさに設定され、これにより、蓄電池用補水補助装置１全体が小型化されている。
【００１８】
ライト３は、基板２に配設され、蓄電池１００内の液面を照らすライトである。すなわち、ＬＥＤライトで構成され、図１、図３に示すように、基板２の支持部２１ａの下面（蓄電池１００側の面）に配設されている。そして、基板２の補水孔２１を蓄電池１００の補水口１０２に位置させることで、ライト３が液面に臨み液面を照らすものである。また、ライト３をオン、オフするスイッチ（図示せず）が基板２に設けられている。
【００１９】
電極４、４は、基板２に配設され、蓄電池１００内の液面が所定の位置（検知位置）まで上昇したことを検知するセンサである。すなわち、２つの電極線４１、４１の一端部にそれぞれ電極４、４が設けられ、電極線４１、４１の他端部が警報ブザー５内の検知回路（図示せず）に接続されている。そして、蓄電池１００の補水口１０２から蓄電池１００内に電極４、４を挿入し、蓄電池１００内の液面が所定の位置まで達して電極４、４が希硫酸あるいは蒸留水に接すると、２つの電極４、４が通電して検知回路が作動するものである。このような電極４、４は、警報ブザー５と支持体６を介して基板２に配設されている。
【００２０】
警報ブザー５は、基板２に配設され、蓄電池１００内の液面が所定の位置まで上昇したことが電極４、４で検知されると、警報音を発するブザーである。すなわち、音源とスピーカとを備え、基板２の長手方向の他端側（反補水孔２１側）の上面に配設され、上記のようにして電極４、４が通電して検知回路が作動すると、音源からの警報音をスピーカから出力するものである。
【００２１】
このような警報ブザー５とライト３は、基板２に配設された共通の電池（電源）で作動するようになっている。
【００２２】
支持体６は、基板２に配設され、電極４、４の検知位置（検知すべき液面の位置）を調整するものである。すなわち、支持柱６１と可動体６２とを備え、支持柱６１は、円柱状で、基板２の支持部２１ａの上面に、垂直上方に延びるように配設されている。可動体６２は、横長の直方体状の可動下部６２ａと、この可動下部６２ａの上面中央部に形成された円柱状の可動上部６２ｂとを有している。また、可動下部６２ａと可動上部６２ｂとの中心部を貫通する挿入穴６２ｃが形成され、この挿入穴６２ｃ内に支持柱６１が挿入され、可動下部６２ａの長手方向の壁面には、挿入穴６２ｃまで達する調整ネジ６３が螺合されている。
【００２３】
一方、電極線４１、４１は、可動下部６２ａを貫通して可動体６２に固定され、基板２の補水孔２１を通って電極４、４が、基板２の下方（蓄電池１００内）に向かうように配設されている。そして、支持柱６１に対して可動体６２を上下動させて位置を定め、調整ネジ６３を締め付けることで、電極４、４の高さ位置つまり検知位置を調整できるものである。
【００２４】
足ネジ７は、基板２に設けられ、蓄電池１００の上面１０１に基板２を載置するものであり、この実施の形態では、４つ設けられている。すなわち、図２、図３に示すように、ネジ部７１の一端部に、弾性を有する（例えば、ゴム製の）頭部７２が設けられている。一方、基板２の四隅には、ネジ孔２２が形成され、頭部７２が基板２の下面に位置するように、ネジ孔２２にネジ部７１が螺合されて、足ネジ７が基板２に着脱自在に配設されている。
【００２５】
各足ネジ７の配設位置は、基板２の補水孔２１を蓄電池１００の補水口１０２に位置させた際に、各足ネジ７が蓄電池１００の上面１０１に位置して、基板２つまり蓄電池用補水補助装置１が安定して蓄電池１００上に載置されるように設定されている。また、各足ネジ７の頭部７２の高さは、補水口１０２の周縁１０２ａよりも上に基板２が位置するように、つまり、周縁１０２ａを避けて蓄電池用補水補助装置１を載置できるように設定されている。さらに、ネジ孔２２に対するネジ部７１の螺合量を調整することで、基板２の下面からの足ネジ７の突出量を調整できるものである。
【００２６】
次に、このような構成の蓄電池用補水補助装置１の作用や使用方法などについて説明する。
【００２７】
蓄電池１００に蒸留水を注水するには、まず、蓄電池１００の種類や容量、あるいは補水目的などに応じて電極４、４の位置を調整する。すなわち、蓄電池１００のキャップや触媒栓を外して補水口１０２から蓄電池１００内に電極４、４を挿入し、基板２の補水孔２１を蓄電池１００の補水口１０２に位置させて、各足ネジ７で基板２つまり蓄電池用補水補助装置１を蓄電池１００上に載置する。続いて、ライト３を点灯して、補水孔２１から目視確認しながら、上記のようにして可動体６２を上下動させて、電極４、４を蓄電池１００内の所定の位置（適正な液面位置）に配置する。
【００２８】
次に、スポイトなどを用いて補水孔２１から蒸留水を蓄電池１００内に注水・補給する。このとき、補水孔２１から液面を目視確認しながら注水してもよい。そして、蒸留水の注水によって液面が所定の位置まで上昇すると、電極４、４が通電して警報ブザー５から警報音が発せられるため、その時点で注水を終了する。このとき、液面が所定の位置まで達していることを補水孔２１から目視確認する。
【００２９】
このような補水作業をすべての補水対象の蓄電池１００に対して行うものである。このとき、注水の前に、液面が所定の位置まで達している蓄電池１００に対しては、電極４、４を蓄電池１００内に配置した時点で警報音が発せられるため、注水は行わない。また、蓄電池１００の種類や補水目的などが同じ蓄電池１００に対しては、電極４、４の位置を調整する必要はなく、種類や補水目的などが異なる場合には、電極４、４の位置を調整する。
【００３０】
以上のように、本蓄電池用補水補助装置１によれば、個々の蓄電池１００に対して蒸留水を注水して、液面が所定の位置まで達すると、電極４、４が通電して警報ブザー５から警報音が発せられるため、狭く薄暗い作業環境でも蒸留水を容易かつ短時間に適正量だけ注水することができる。さらに、電極４、４の位置、つまり、検知すべき液面の位置を調整可能なため、蓄電池１００の種類や容量、補水目的などに応じて電極４、４の位置を調整することで、適正に補水を行うことができる。
【００３１】
しかも、ライト３で蓄電池１００内の液面が照らされるため、懐中電灯などを所持することなく、補水孔２１から液面を容易かつ正確に目視確認することができる。さらに、足ネジ７で基板２つまり本蓄電池用補水補助装置１を蓄電池１００の上面１０１に載置することで、本蓄電池用補水補助装置１を手で保持する必要がなく、より容易に、かつ安定して補水作業を行うことができる。これらの結果、蓄電池１００がひな壇状に設置されている場合などであっても、適正かつ容易、短時間に補水作業を行うことができるものである。
【００３２】
また、ライト３と電極４、４と警報ブザー５と支持体６と足ネジ７が、すべて基板２に配設され、しかも、基板２の大きさが最小限に形成されているため、蓄電池用補水補助装置１全体が小型化、軽量化され、取り扱いや携帯、保管などが容易である。一方、液面が所定の位置まで達したことを音で知らせるため、視野が狭い場合などであっても、作業者等に確実に知らせることができる。
【００３３】
このように、個々の蓄電池１００に対して容易かつ適正に補水を行うことができ、しかも使い勝手がよい。
【００３４】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、電極４、４で検知手段を構成しているが、他の構成であってもよい。例えば、蓄電池１００の液面に浮遊するフロートで検知手段を構成し、フロートが所定の位置まで上昇すると警報ブザー５がオンするようにしてもよい。また、支持柱６１に、蓄電池１００の種類や容量などに応じた目盛・標識を設け、この目盛に合わせて可動体６２を移動させることで、容易かつ適正に電極４、４の位置を調整できるようにしてもよい。
【符号の説明】
【００３５】
１        蓄電池用補水補助装置
２        基板
２１      補水孔
３        ライト（照明手段）
４        電極（検知手段）
５        警報ブザー（警報手段）
６        支持体（位置調整手段）
７        足ネジ（載置手段）
１００    蓄電池
１０１    上面
１０２    補水口
【図１】
2016170943.tif 000003
【図２】
2016170943.tif 000004
【図３】
2016170943.tif 000005